【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
着信に応答したか否かを示す応答情報を着信履歴情報として表示する応答情報表示手段と、
前記着信による呼出時間の計測結果を表示する呼出時間表示手段と、
を備えたことを特徴とする通信装置。
【請求項２】
呼出時間を計測する呼出時間計測手段と、
着信に応答したか否かを示す応答情報を着信履歴情報として表示する一方、前記呼出時間計測手段により計測された呼出時間の計測結果を表示する表示手段と、を備えたことを特徴とする通信装置。
【請求項３】
着信に応答した場合には、前記呼出時間の計測結果を表示しない計測結果非表示手段を備えたことを特徴とする請求項１又は２に記載の通信装置。
【請求項４】
相手の電話番号を取得する電話番号取得手段と、
前記電話番号取得手段により取得された相手の電話番号を表示する電話番号表示手段と、を備えたことを特徴とする請求項１、２又は３に記載の通信装置。
【請求項５】
前記表示された電話番号に発呼する発呼手段を備えたことを特徴とする請求項４に記載の通信装置。
【請求項６】
着信日時を表示する着信日時表示手段を備えたことを特徴とする請求項１乃至５の何れか一項に記載の通信装置。
【請求項７】
呼出時間を計測する呼出時間計測手段と、
前記呼出時間計測手段により計測された呼出時間の計測結果と、着信に応答したか否かを示す応答情報とを着信履歴情報として表示する着信履歴表示手段と、
着信に応答した場合には、該着信の着信履歴情報を表示しない着信履歴非表示手段を備えたことを特徴とする通信装置。
【請求項８】
呼出時間を計測する呼出時間計測手段と、
前記呼出時間計測手段により計測された呼出時間の計測結果を記憶する計測結果記憶手段と、
着信に応答したか否かを示す応答情報を着信履歴情報として記憶する応答情報記憶手段と、を備えたことを特徴とする通信装置。
【請求項９】
相手の電話番号を取得する電話番号取得手段と、
前記電話番号取得手段により取得された相手の電話番号を記憶する電話番号記憶手段を備えたことを特徴とする請求項８に記載の通信装置。
【請求項１０】
着信日時を記憶する着信日時記憶手段を備えたことを特徴とする請求項８又は９に記載の通信装置。
【請求項１１】
着信に応答したか否かを示す応答情報を着信履歴情報として表示する応答情報表示ステップと、
前記着信による呼出時間の計測結果を表示する呼出時間表示ステップと、
を備えたことを特徴とする通信方法。
【請求項１２】
呼出時間を計測する呼出時間計測ステップと、
着信に応答したか否かを示す応答情報を着信履歴情報として表示する一方、前記呼出時間計測ステップにより計測された呼出時間の計測結果を表示する表示ステップと、を備えたことを特徴とする通信方法。
【請求項１３】
着信に応答した場合には、前記呼出時間の計測結果を表示しない計測結果非表示ステップを備えたことを特徴とする請求項１１又は１２に記載の通信方法。
【請求項１４】
呼出時間を計測する呼出時間計測ステップと、
前記呼出時間計測ステップにより計測された呼出時間の計測結果と、着信に応答したか否かを示す応答情報とを着信履歴情報として表示する着信履歴表示ステップと、
着信に応答した場合には、該着信の着信履歴情報を表示しない着信履歴非表示ステップを備えたことを特徴とする通信方法。
【請求項１５】
呼出時間を計測する呼出時間計測ステップと、
前記呼出時間計測ステップにより計測された呼出時間の計測結果を記憶する計測結果記憶ステップと、
着信に応答したか否かを示す応答情報を着信履歴情報として記憶する応答情報記憶ステップと、を備えたことを特徴とする通信方法。
【手続補正２】
【補正対象書類名】明細書
【補正対象項目名】０００４
【補正方法】変更
【補正の内容】
【０００４】
前記の課題を解決するために、請求項１記載の発明では、着信に応答したか否かを示す応答情報を着信履歴情報として表示する応答情報表示手段と、前記着信による呼出時間の計測結果を表示する呼出時間表示手段と、を備えたことを特徴とする。
また、請求項２記載の発明では、呼出時間を計測する呼出時間計測手段と、着信に応答したか否かを示す応答情報を着信履歴情報として表示する一方、前記呼出時間計測手段により計測された呼出時間の計測結果を表示する表示手段と、を備えたことを特徴とする。
また、請求項３記載の発明では、着信に応答した場合には、前記呼出時間の計測結果を表示しない計測結果非表示手段を備えたことを特徴とする。
また、請求項４記載の発明では、相手の電話番号を取得する電話番号取得手段と、前記電話番号取得手段により取得された相手の電話番号を表示する電話番号表示手段と、を備えたことを特徴とする。
また、請求項５記載の発明では、前記表示された電話番号に発呼する発呼手段を備えたことを特徴とする。
また、請求項６記載の発明では、着信日時を表示する着信日時表示手段を備えたことを特徴とする。
また、請求項７記載の発明では、呼出時間を計測する呼出時間計測手段と、前記呼出時間計測手段により計測された呼出時間の計測結果と、着信に応答したか否かを示す応答情報とを着信履歴情報として表示する着信履歴表示手段と、着信に応答した場合には、該着信の着信履歴情報を表示しない着信履歴非表示手段を備えたことを特徴とする。
また、請求項８記載の発明では、呼出時間を計測する呼出時間計測手段と、前記呼出時間計測手段により計測された呼出時間の計測結果を記憶する計測結果記憶手段と、着信に応答したか否かを示す応答情報を着信履歴情報として記憶する応答情報記憶手段と、を備えたことを特徴とする。
また、請求項９記載の発明では、相手の電話番号を取得する電話番号取得手段と、前記電話番号取得手段により取得された相手の電話番号を記憶する電話番号記憶手段を備えたことを特徴とする。
また、請求項１０記載の発明では、着信日時を記憶する着信日時記憶手段を備えたことを特徴とする。
また、請求項１１記載の発明では、着信に応答したか否かを示す応答情報を着信履歴情報として表示する応答情報表示ステップと、前記着信による呼出時間の計測結果を表示する呼出時間表示ステップと、を備えたことを特徴とする。
また、請求項１２記載の発明では、呼出時間を計測する呼出時間計測ステップと、着信に応答したか否かを示す応答情報を着信履歴情報として表示する一方、前記呼出時間計測ステップにより計測された呼出時間の計測結果を表示する表示ステップと、を備えたことを特徴とする。
また、請求項１３記載の発明では、着信に応答した場合には、前記呼出時間の計測結果を表示しない計測結果非表示ステップを備えたことを特徴とする。
また、請求項１４記載の発明では、呼出時間を計測する呼出時間計測ステップと、前記呼出時間計測ステップにより計測された呼出時間の計測結果と、着信に応答したか否かを示す応答情報とを着信履歴情報として表示する着信履歴表示ステップと、着信に応答した場合には、該着信の着信履歴情報を表示しない着信履歴非表示ステップを備えたことを特徴とする。
また、請求項１５記載の発明では、呼出時間を計測する呼出時間計測ステップと、前記呼出時間計測ステップにより計測された呼出時間の計測結果を記憶する計測結果記憶ステップと、着信に応答したか否かを示す応答情報を着信履歴情報として記憶する応答情報記憶ステップと、を備えたことを特徴とする。
【手続補正３】
【補正対象書類名】明細書
【補正対象項目名】０００５
【補正方法】変更
【補正の内容】
【０００５】
本発明によれば、請求項１、１１記載の発明では、着信に応答したか否かを表示し、着信による呼出時間の計測結果を表示するので、着信時に応答できなかった個々の着信について、呼出時間の長かった着信を重要性大あるいは緊急性大の着信と判断することができる。
また、請求項２、１２記載の発明では、呼出時間を計測し、着信に応答したか否かを表示し、計測された呼出時間の計測結果を表示するので、着信時に応答できなかった個々の着信について、呼出時間の長かった着信を重要性大あるいは緊急性大の着信と判断することにより、その着信の発信者に対して優先的に電話をかけることができる。
また、請求項３、１３記載の発明では、各着信時に、着信に応答した場合には、呼出時間を表示しないので、無駄な表示を極力減らすことができる。
また、請求項４記載の発明では、着信に応答した場合には、計測結果を表示しないので、無駄な表示を極力減らすことができる。
また、請求項５記載の発明では、表示された電話番号に発呼するので、発呼の手間が省け、且つ電話番号のミスを防ぐことができる。
また、請求項６記載の発明では、着信日時を表示するので、いつ着信した情報かを明確に判断することができる。
また、請求項７、１４記載の発明では、呼出時間を計測し、その呼出時間の計測結果と、着信に応答したか否かを示す応答情報とを表示し、着信に応答した場合には、着信履歴情報を表示しないので、無駄な表示を極力減らすことができる。
また、請求項８、１５記載の発明では、呼出時間を計測し、計測された呼出時間の計測結果を記憶し、着信に応答したか否かを示す応答情報を着信履歴情報として記憶するので、着信時に応答できなかった個々の着信について、呼出時間の長かった着信を重要性大あるいは緊急性大の着信と判断することにより、その着信の発信者に対して優先的に電話をかけることができる。
また、請求項９記載の発明では、相手の電話番号を取得して相手の電話番号を記憶するので、後で相手の電話に正確に返事を送ることができる。
また、請求項１０記載の発明では、着信日時を記憶するので、いつ着信した情報かを明確に判断することができる。